(57)【要約】【課題】柱材に寸法上の歪みが生じていても白蟻の侵入・食害を確実に防止する防蟻材を柱材に容易に装着することができるようにした建築物の防蟻構造を提供する。【解決手段】建築物を白蟻の侵入及び食害から防ぐ建築物の防蟻構造において、建築物の基礎１上に敷設される土台２に立設される柱材４の所定高さ以下の部分における表面に、２つの断面略Ｌ字形状の白蟻に対する耐食性を有する防蟻材１０を柱材４の隣接面に当接すべく対角線方向から嵌装する。これにより、柱材に寸法上の歪みが生じていても白蟻の侵入・食害を確実に防止する防蟻材を柱材に容易に装着することができる。【選択図】        図２
2010059661.tif 000002
【特許請求の範囲】
【請求項１】
建築物を白蟻の侵入及び食害から防ぐ建築物の防蟻構造であって、
上記建築物の基礎上に敷設される土台に立設される柱材の所定高さ以下の部分における表面に、２つの断面略Ｌ字形状の白蟻に対する耐食性を有する防蟻材を上記柱材の隣接面に当接すべく対角線方向から嵌装してなる、ことを特徴とする建築物の防蟻構造。
【請求項２】
請求項１記載の建築物の防蟻構造において、
上記防蟻材の一方の当接片における幅寸法は上記柱材の当接対象となる面における幅寸法よりも大きく、かつ他方の当接片における幅寸法は上記柱材の当接対象となる面における幅寸法よりも小さく形成し、
上記他方の当接片の長手方向に沿う側端に、外方に向かって傾斜状に延在する折曲片を設け、かつ上記折曲片を上記一方の当接片の長手方向に沿う側端部の内面に当接すると共に、この当接部を固定部材によって固定してなる、
ことを特徴とする建築物の防蟻構造。
【請求項３】
請求項１又は２記載の建築物の防蟻構造において、
上記柱材における少なくとも土台の長手方向側の面に当接する防蟻材の当接片に、白蟻の通過を阻止する開口の多数の通気孔を穿設してなる、ことを特徴とする建築物の防蟻構造。
【請求項４】
請求項１ないし３のいずれかに記載の建築物の防蟻構造において、
上記防蟻部材の当接片の下端に、柱材の下面を被覆する被覆片を更に具備してなる、ことを特徴とする建築物の防蟻構造。
【請求項５】
請求項１ないし４のいずれかに記載の建築物の防蟻構造において、
上記防蟻材はアルミニウム製板材にて形成されている、ことを特徴とする建築物の防蟻構造。
【発明の詳細な説明】
【技術分野】
【０００１】
この発明は、建築物を白蟻の侵入及び食害から防ぐ建築物の防蟻構造に関するものである。
【背景技術】
【０００２】
一般の主な木造住宅は、コンクリートからなる基礎上に土台となる木材を敷設し、土台の上に柱を立設するという工法が採られている。そのため、住宅を白蟻の侵入・食害から防ぐための防蟻処理が必要となる。一般的な防蟻処理としては、建築物の基礎等の表面に防蟻剤を施しているが、その効果を維持できる期間が限られ、また、人間にも毒性があるため、近年では防蟻剤をしない方法が考えられている。
【０００３】
従来、防蟻剤を使用しない防蟻方法として、建築物を構成する土台及び柱材を網目構造の金属製パッドで被覆する構造や筒状のメッシュ体に挿通する構造等が知られているが、これら構造のものは、いずれも施工が面倒な上コストが嵩むという問題があった。
【０００４】
そこで、発明者等は鋭意研究した結果、建築物の基礎上に敷設される土台に立設される柱材の所定高さ以下の部分において、少なくとも外壁と接触しない表面部分に、白蟻に対する耐食性を有する防蟻材を嵌装する構造を提案した（例えば、特許文献１参照）。この特許文献１に記載の構造は、柱材の３面又は４面に防蟻材を嵌装する構造である。
【特許文献１】特開２００８−３１６７１号公報（特許請求の範囲、図３，図７，図１０）
【発明の開示】
【発明が解決しようとする課題】
【０００５】
しかしながら、実際には、柱材の長手方向に寸法状の歪みが生じる場合が多く、柱材における防蟻材を嵌装する部分が外方側に歪んでいると、防蟻材の嵌装に手間を要し、また、防蟻材を嵌装する部分が内方側に歪んでいると、柱材と防蟻材との間に隙間が生じるなど、防蟻材の嵌装が不十分となる懸念がある。
【０００６】
この発明は、上記事情に鑑みてなされたのもので、柱材に寸法上の歪みが生じていても白蟻の侵入・食害を確実に防止する防蟻材を柱材に容易に装着することができるようにした建築物の防蟻構造を提供することを課題とする。
【課題を解決するための手段】
【０００７】
上記課題を解決するため、請求項１記載の発明は、建築物を白蟻の侵入及び食害から防ぐ建築物の防蟻構造であって、上記建築物の基礎上に敷設される土台に立設される柱材の所定高さ以下の部分における表面に、２つの断面略Ｌ字形状の白蟻に対する耐食性を有する防蟻材を上記柱材の隣接面に当接すべく対角線方向から嵌装してなる、ことを特徴とする。
【０００８】
このように構成することにより、柱材の対角線方向から２つの断面略Ｌ字形状の白蟻に対する耐食性を有する防蟻材を嵌装することにより、柱材に防蟻材を被覆することができる。
【０００９】
この発明において、上記防蟻材の一方の当接片における幅寸法を上記柱材の当接対象となる面における幅寸法よりも大きくし、かつ他方の当接片における幅寸法を上記柱材の当接対象となる面における幅寸法よりも小さく形成し、更に、上記他方の当接片の長手方向に沿う側端に、外方に向かって傾斜状に延在する折曲片を設け、かつ上記折曲片を上記一方の当接片の長手方向に沿う側端部の内面に当接すると共に、この当接部を固定部材によって固定する方が好ましい（請求項２）。
【００１０】
このように構成することにより、断面略Ｌ字形状の防蟻材の一方の当接片の柱材よりはみ出た部分と折曲片とを当接し、固定部材によって締結固定することができる。
【００１１】
また、この発明において、上記柱材における少なくとも土台の長手方向側の面に当接する防蟻材の当接片に、白蟻の通過を阻止する開口の多数の通気孔を穿設する方が好ましい（請求項３）。
【００１２】
このように構成することにより、防蟻材が被覆された柱材に通気性を持たせることができる。
【００１３】
また、この発明において、上記防蟻部材の当接片の下端に、柱材の下面を被覆する被覆片を更に具備してもよい（請求項４）。
【００１４】
このように構成することにより、土台に接触する柱材の下面にも防蟻材を被覆することができる。
【００１５】
また、この発明において、上記防蟻材は、白蟻に対する耐食性を有する材質、例えば合成樹脂や金属製のものであってもよく、例えば、アルミニウム製板材にて形成することができる（請求項５）。ここで、アルミニウムとは、アルミニウム合金を含む意味である。
【発明の効果】
【００１６】
この発明によれば、上記のように構成されているので、以下のような優れた効果が得られる。
【００１７】
（１）請求項１記載の発明によれば、柱材の対角線方向から２つの断面略Ｌ字形状の白蟻に対する耐食性を有する防蟻材を嵌装することにより、柱材に防蟻材を被覆することができるので、柱材の寸法上の歪みが生じても、防蟻材の被覆を容易にすることができると共に、白蟻の侵入及び食害を確実に防止することができ、かつ、施工及びコストの低廉化を図ることができる。
【００１８】
（２）請求項２記載の発明によれば、断面略Ｌ字形状の防蟻材の一方の当接片の柱材よりはみ出た部分と折曲片とを当接し、固定部材によって締結固定することができるので、上記（１）に加えて、更に柱材の寸法上の歪みを吸収して柱材への防蟻材の被覆を容易かつ確実にすることができる。
【００１９】
（３）請求項３記載の発明によれば、防蟻材が被覆された柱材に通気性を持たせることができるので、上記（１），（２）に加えて、更に柱材の結露及び腐食を防止することができる。
【００２０】
（４）請求項４記載の発明によれば、土台に接触する柱材の下面にも防蟻材を被覆することができるので、上記（１）〜（３）に加えて、更に柱材の下面の防蟻を確実にすることができる。
【発明を実施するための最良の形態】
【００２１】
以下に、この発明の最良の実施形態を添付図面に基づいて詳細に説明する。
【００２２】
＜第１実施形態＞
図１は、この発明に係る防蟻構造の第１実施形態の組立状態を示す斜視図、図２は、第１実施形態の要部の一部を断面で示す斜視図、図３は、図２のＩ−Ｉ線に沿う拡大断面図（ａ）、（ａ）のII部の固定前の状態を示す拡大断面図（ｂ）及びII部の固定状態を示す拡大断面図（ｃ）、図４は、柱材と土台の固定部を示す要部断面図、図５は、第１実施形態の要部の分解斜視図である。
【００２３】
この発明に係る建築物は、図１に示すように、コンクリート製の基礎１の上面に土台２を敷設し、この土台２の上面に後述するほぞ３を介して木製の柱材４を立設し、柱材４の屋外側に外壁材５を取り付けてなる。
【００２４】
また、建築物は、グランドレベルより好ましくは土台２の上面を基準にして１ｍの高さまでの領域に防蟻構造が施されている。この場合、柱材４のグランドレベルを基準にして１ｍの高さまでの柱材４の表面部分に２つの防蟻材１０が嵌装され、固定部材であるタッピングねじ１５ａとナット１５ｂによって柱材４に嵌装・固定されている。
【００２５】
防蟻材１０は、例えばアルミニウム合金製の板材を折曲してなる２つの断面略Ｌ字形状に形成されており、各防蟻材１０が柱材の隣接面に当接すべく対角線方向から嵌装されている。
【００２６】
上記防蟻材１０の一方の当接片１１（以下に第１の当接片１１という）における幅寸法は柱材４の当接対象となる面における幅寸法よりも大きく、かつ他方の当接片１２（以下に第２の当接片１２という）における幅寸法は柱材４の当接対象となる面における幅寸法よりも小さく形成されている。また、第２の当接片１２の長手方向に沿う側端には、外方に向かって傾斜状に延在する折曲片１４が設けられており、この折曲片１４が第１の当接片１１の長手方向に沿う側端部１３の内面に当接された状態で、この当接部を固定部材例えばタッピングねじ１５ａとナット１５ｂによって固定されている（図３参照）。
【００２７】
また、土台２は、例えばアルミニウム合金製の押出形材にて形成されており、中空矩形状本体２ａと、この本体２ａの内方中空部２ｂを区画する互いに平行な垂直方向に位置する２つの仕切り壁２ｃとで構成されている。このように構成されるアルミニウム合金製の土台２の上面に開設された矩形状のほぞ穴２ｄ内に、柱材４の下端面に突設されたほぞ３が挿入され、土台２の側壁２ｅに水平方向に並列して穿設された２つの貫通孔２ｆを夫々貫通する固定ピン６をほぞ３の下部側に設けた固定孔３ａ内に嵌合することによって、ほぞ３が土台２に固定された状態で柱材４が土台２上に立設される（図２及び図４参照）。
【００２８】
上記ほぞ３は、例えばアルミニウム合金製押出形材にて形成された断面が中実矩形状の押出形材を所定の寸法に切断したものにて形成されている。また、ほぞ３の上部側にも水平方向に並列して２つの固定孔３ａが設けられている。ほぞ３の上部側を柱材４の下端面に設けられたほぞ穴４ａ内に挿入した状態で、柱材４の対向する側部に水平方向に並列して穿設された２つの貫通孔４ｂを夫々貫通する固定ピン６を固定孔３ａに嵌合することによって、ほぞ３が柱材４の下面に突設されるようになっている。なお、ほぞ３は必ずしも断面中実状である必要はなく、断面中空矩形状に形成してもよい。また、ほぞ３は必ずしもアルミニウム製部材である必要はなく、例えば柱材４と一体に形成したものであってもよい。
【００２９】
上記のように構成される土台２，柱材４，ほぞ３及び防蟻材１０を組み立てるには、まず、基礎１の上面にスペーサ８を介在させて土台２を敷設すると共に、アンカーボルト７によって固定する。
【００３０】
一方、柱材４の下端面に設けられたほぞ穴４ａ内にほぞ３の上端部を挿入した状態で固定ピン６を柱材４の貫通孔４ｂ及びほぞ３の固定孔３ａ内に嵌合することによって、柱材４の下面にほぞ３を突設する。また、柱材４の下部側に、柱材４の対角線方向から防蟻材１０を嵌装して２つの防蟻材１０の第１の当接片１１と第２の当接片１２を夫々柱材４の隣接面に当接し、かつ第２の当接片１２の折曲片１４を第１の当接片１１の長手方向に沿う側端部１３の内面に当接する（図３（ｂ）参照）。そして、この状態で、第１の当接片１１の側端部１３の外方からタッピングねじ１５ａを当接部にねじ込み、その先端部にナット１５ｂを螺合して当接部を固定する（図３（ａ），（ｃ）参照）。
【００３１】
次に、柱材４の下面に突設されたほぞ３の突出部を土台２の上面に開設されたほぞ穴２ｄ内に挿入し、土台２の側壁２ｅに穿設された２つの貫通孔２ｆを夫々貫通する固定ピン６をほぞ３に設けた固定孔３ａ内に嵌合することによって、柱材４を土台２上に立設する。
【００３２】
なお、柱材４を土台２に立設させた後に、柱材４の下部側に、上記と同様に、対角線方向から防蟻材１０を嵌装し固定してもよい。
【００３３】
なお、上記説明では、防蟻材１０が２つの断面略Ｌ字形状に形成される場合について説明したが、図６及び図７に示すように、少なくとも土台２の長手方向に位置する防蟻材１０の当接片例えば第２の当接片１２に、白蟻の通過を阻止する開口の多数の通気孔１６を設ける方が好ましい。このように防蟻材１０に白蟻の通過を阻止する開口の多数の通気孔１６を設けることにより、防蟻材１０が嵌装される柱材４に通気性を持たせることができると共に、白蟻の侵入・食害を防止することができる。
【００３４】
＜第２実施形態＞
図８は、この発明に係る防蟻構造の第２実施形態の要部を示す拡大断面図、図９は、第２実施形態の要部を示す斜視図である。
【００３５】
第２実施形態は、第１実施形態と同様に、略Ｌ字形状に形成される防蟻材１０Ａの当接片例えば第１の当接片１１の下端に、柱材４の下面を被覆する被覆片１７を更に具備した場合である。この場合、図８及び図９に示すように、防蟻材１０の第１の当接片１１の下端には、ほぞ穴４ａを回避した被覆片１７が折曲可能に延在されている。
【００３６】
上記のように、被覆片１７によって柱材４の下端面を被覆することによって、土台２に接触する柱材４の下面にも防蟻材１０Ａを被覆することができるので、更に土台２と柱材４との間における白蟻の侵入・食害を防止することができる。
【００３７】
なお、防蟻材１０の少なくとも土台２の長手方向に位置する当接片例えば第２の当接片１２においても、白蟻の通過を阻止する開口の多数の通気孔１６を設ける方が好ましい。
【００３８】
なお、第２実施形態において、その他の部分は第１実施形態と同じであるので、同一部分には同一符号を付して説明は省略する。
【００３９】
上記のように構成される第２実施形態の防蟻材１０Ａを柱材４に嵌装するには、柱材４の下部側の対角線方向から夫々防蟻材１０Ａを嵌装し、両防蟻材１０Ａの側端部１３と折曲片１４を当接した状態で、防蟻材１０Ａの第１の当接片１１の下端部に延在する被覆片１７を折り曲げて柱材４の下端面を被覆する。
【００４０】
上記のようにして防蟻材１０Ａを嵌装した柱材４を土台２の上面に立設するには、まず、柱材４の下端面に設けられたほぞ穴４ａ内にほぞ３の上端部を挿入した状態で固定ピン６を柱材４の貫通孔４ｂ及びほぞ３の固定孔３ａ内に嵌合することによって、柱材４の下面にほぞ３を突設する。次に、柱材４の下部側の対角線方向から夫々防蟻材１０Ａを嵌装し、両防蟻材１０Ａの側端部１３と折曲片１４を当接した状態で、防蟻材１０Ａの第１の当接片１１の下端部に延在する被覆片１７を折り曲げて柱材４の下端面を被覆する。この状態で、第１の当接片１１の側端部１３の外方からタッピングねじ１５ａを当接部にねじ込み、その先端部にナット１５ｂを螺合して当接部を固定する。
【００４１】
次に、柱材４の下面に突設されたほぞ３の突出部を土台２の上面に開設されたほぞ穴２ｄ内に挿入し、土台２の側壁２ｅに穿設された２つの貫通孔２ｆを夫々貫通する固定ピン６をほぞ３に設けた固定孔３ａ内に嵌合することによって、柱材４を土台２上に立設する。
【００４２】
＜その他の実施形態＞
なお、上記実施形態では、土台２が、中空矩形状本体２ａと、この本体２ａの内方中空部２ｂを区画する互いに平行な垂直方向に位置する２つの仕切り壁２ｃとからなるアルミニウム合金製の押出形材にて形成される場合について説明したが、土台は必ずしもこのような形状である必要はなく、例えば中空矩形部の上下片の左右端部に夫々外方に延在するフランジ部を形成したアルミニウム合金製の押出形材にて形成してもよい。
【図面の簡単な説明】
【００４３】
【図１】この発明に係る防蟻構造の第１実施形態の組立状態を示す斜視図である。
【図２】第１実施形態の要部の一部を断面で示す斜視図である。
【図３】図２のＩ−Ｉ線に沿う拡大断面図（ａ）、（ａ）のII部の固定前の状態を示す拡大断面図（ｂ）及びII部の固定状態を示す拡大断面図（ｃ）である。
【図４】この発明における柱材と土台の固定状態を示す要部断面図である。
【図５】第１実施形態の要部の分解斜視図である。
【図６】この発明における防蟻材に通気孔を設けた状態を示す要部の斜視図である。
【図７】防蟻材に通気孔を設けた状態を示す要部の分解斜視図である。
【図８】この発明に係る防蟻構造の第２実施形態の組立状態を示す要部断面図である。
【図９】第２実施形態における防蟻材の被覆片を示す要部斜視図である。
【符号の説明】
【００４４】
１  基礎
２  土台
３  ほぞ
４  柱材
１０，１０Ａ  防蟻材
１１  第１の当接片（一方の当接片）
１２  第２の当接片（他方の当接片）
１３  側端部
１４  折曲片
１５ａ  タッピングねじ（固定部材）
１５ｂ  ナット（固定部材）
１６  通気孔
１７  被覆片
【図１】
2010059661.tif 000003
【図２】
2010059661.tif 000004
【図３】
2010059661.tif 000005
【図４】
2010059661.tif 000006
【図５】
2010059661.tif 000007
【図６】
2010059661.tif 000008
【図７】
2010059661.tif 000009
【図８】
2010059661.tif 000010
【図９】
2010059661.tif 000011